(57)【要約】【課題】  通信網を介して複数の空気調和機から通信データを受信し、特定の空気調和機にかかる通信状態を解析する際の効率を向上させること。【解決手段】  通信回路を有する複数の空気調和機が接続された通信網から通信データを受信する受信手段と、受信手段により受信した通信データを受信時刻と共にデジタルデータで記憶する記憶手段と、記憶手段により記憶された通信データの中から特定の空気調和機の通信データを選択し、選択した通信データ以外の通信データを受信時刻に合わせた時間間隔で通信状態を再現する再現手段に送信する送信手段とを有した通信データ収集装置を備えるようにする。このような通信状態解析システムとすれば、通信網から受信した通信データから特定の空気調和機にかかる通信状態を効率的に解析できる。【選択図】    図１
2006054755.tif 000002
【特許請求の範囲】
【請求項１】
通信回路を有する複数の空気調和機が接続された通信網から通信データを受信して通信状態を解析する通信状態解析システムであって、
前記通信データを受信する受信手段と、該受信手段により受信した前記通信データを受信時刻と共にデジタルデータで記憶する記憶手段と、該記憶手段により記憶された前記通信データの中から特定の前記空気調和機の通信データを選択し、選択した前記通信データ以外の前記通信データを前記受信時刻に合わせた時間間隔で通信状態を再現する再現手段に送信する送信手段とを有した通信データ収集装置を備えてなる通信状態解析システム。
【請求項２】
通信回路を有する複数の空気調和機が接続された通信網から通信データを受信して通信状態を解析する通信状態解析システムであって、
前記通信データを受信する受信手段と、該受信手段により受信した前記通信データをタイマ回路による受信時刻と共にデジタルデータで記憶する記憶手段と、該記憶手段により記憶された前記通信データの中から特定の前記空気調和機の通信データを選択し、選択した前記通信データ以外の前記通信データを前記受信時刻に合わせた時間間隔で通信状態を再現する再現手段に送信する送信手段とを有した通信データ収集装置を複数備え、前記タイマ回路は、それぞれ切換スイッチを介して前記受信時刻の時間軸を他の前記通信データ収集装置と共有可能に形成されてなる通信状態解析システム。
【請求項３】
前記受信手段の受信回路および前記送信手段の送信回路は、他の異なる仕様の受信回路および送信回路と交換可能であることを特徴とする請求項１または２に記載の通信状態解析システム。
【発明の詳細な説明】
【技術分野】
【０００１】
本発明は、通信網を介して通信可能な複数の空気調和機から通信データを受信して通信状態を解析する通信状態解析システムに関する。
【背景技術】
【０００２】
オフィスやビル等の空調システムは、例えば、集中制御装置に通信網を介して接続される複数の空気調和機と、各空気調和機に通信網を介して接続されるリモコンとを備え、集中制御装置から各空気調和機に運転指令の通信データを送信し、各空気調和機がこの通信データを受信して所定の動作を行う一方、空気調和機から返送される通信データが集中制御装置に受信されるようになっている。すなわち、集中制御装置は、通信データを送信して各空気調和機の運転を制御すると共に、返送された通信データに基づいて各空気調和機の動作や室温等を管理する。
【０００３】
ところで、空気調和機の運転中においては、例えば、集中制御装置から送信された通信データに起因して空気調和機が指令通りの運転を行わないことがある。この場合、集中制御装置は、送信データがリモコンや空気調和機を経由して所定時間内に返信されるか否かを監視し、一定時間内に返送がない場合は異常発生と判断する。
【０００４】
このように、通信網を流れる通信データに起因して、空気調和機に異常が発生した場合、正常状態に復帰するため、まず、通信データを受信して、特定の装置間で送受された通信データの内容を解析し検証する必要がある。
【０００５】
通信状態を解析する方法としては、特定の通信網から受信した通信データを記録媒体に記録した後、文字化してモニタまたは記録紙に出力し、目視により通信状態を解析することが行われている。また、通信状態を解析するにあたって、実際の空調システムが使用できない場合、通信シミュレータなどの再現手段を利用して、実際の通信網から受信した通信データを所定の手順で再現し、通信状態を検証することが行われている。
【０００６】
例えば、複数の端末の通信データを通信網から受信して通信データをメモリに記録し、この記録したデータを特定の端末に送出することにより、通信状態を再現するプロトコルアナライザが開示されている（特許文献１参照）。
【０００７】
【特許文献１】特開平５−１９１４７６号公報
【発明の開示】
【発明が解決しようとする課題】
【０００８】
しかしながら、上記のように複数の空気調和機が接続された通信網において、通信データを受信してデータの異常を解析する場合、通信網から受信される通信データは通信網に接続されるすべての空気調和機が送受する通信データとなる。
【０００９】
このため、例えば、特許文献１などのプロトコルアナライザを使用し、通信網から受信される通信データをモニタして目視で特定の通信データを解析すると、処理時間が膨大となる。また、通信データを再現手段で再現すると、全ての空気調和機の通信データが再現されてしまい、特定の空気調和機の通信データを評価する上で問題となる。
【００１０】
また、空調システムにおいては、空気調和機を介在し、集中制御装置およびリモコンをそれぞれ結ぶ二つの通信網が存在するが、各通信網を伝送する通信データは、空気調和機の動作に対し相互に影響を与える。このため、従来は、各通信網から受信した通信データをそれぞれモニタに出力し、目視で見比べながら評価することが行われていた。しかし、この方法によれば、各々のモニタの記録時間、つまり時間軸に差があると、評価結果の信頼性の低下を招くおそれがある。また、複数のモニタ装置が必要となり、コストが高くなるという問題がある。
【００１１】
本発明は、通信網を介して複数の空気調和機から通信データを受信し、特定の空気調和機にかかる通信状態を解析する際の効率を向上させることを課題とする。
【課題を解決するための手段】
【００１２】
上記課題を解決するため、本発明は、通信回路を有する複数の空気調和機が接続された通信網から通信データを受信して通信状態を解析する通信状態解析システムであって、通信データを受信する受信手段と、この受信手段により受信した通信データを受信時刻と共にデジタルデータで記憶する記憶手段と、この記憶手段により記憶された通信データの中から特定の空気調和機の通信データを選択し、選択した通信データ以外の通信データを受信時刻に合わせた時間間隔で通信状態を再現する再現手段に送信する送信手段と、を有した通信データ収集装置を備えてなることを特徴とする。
【００１３】
これによれば、通信網から受信した通信データの中から特定（例えば、異常と思われる）の空気調和機の通信データを自動的に選択し、特定の空気調和機以外の通信データを出力できるから、通信データのデータ量に関わらず、通信状態の解析効率を向上できる。
【００１４】
特に、通信データを受信時刻に合わせて記録し、受信時刻の時間間隔で出力、つまり再現手段で再現することにより、特定の空気調和機にかかる通信状態を忠実に検証できる。また、通信網から受信する通信データのうち、特定の空気調和機の運転状態に応じて、所定の時間帯の通信データを選択し、モニタないし再現できるから、通信状態の解析効率を一層向上できる。
【００１５】
また、通信回路を有する複数の空気調和機が接続された通信網から通信データを受信する受信手段と、この受信手段により受信した通信データをタイマ回路による受信時刻と共にデジタルデータで記憶する記憶手段と、この記憶手段により記憶された通信データの中から特定の空気調和機の通信データを選択し、選択した通信データ以外の通信データを受信時刻に合わせた時間間隔で通信状態を再現する再現手段に送信する送信手段とを有した通信データ収集装置を複数備え、タイマ回路は、それぞれ切換スイッチを介して受信時刻の時間軸を他の前記通信データ収集装置と共有可能に形成されるようにしてもよい。
【００１６】
これによれば、異なる通信網にそれぞれ通信データ収集装置を接続し、通信データを受信する場合、各通信網から受信した通信データを同じ時間軸で記録し、再現できるから、上記の効果に加えて、相互の通信データの記録時間のずれに伴う誤評価が防止され、特定の空気調和機にかかる通信状態を高い精度で検証できる。また、本発明によれば、異なる通信網の通信データを共有し、例えば１台のモニタ装置で通信データを時系列に表示できるから、モニタ装置の設置数を減少でき、経済的である。
【００１７】
また、上記の通信状態解析システムにおいて、受信手段の受信回路および送信手段の送信回路は、他の異なる仕様の受信回路および送信回路と交換可能とすることが好ましい。これによれば、例えば、複数のインタフェースに同一システムで対応可能とすることにより、受信回路および送信回路を他の通信状態解析システムのものと共有できるから、通信データ収集装置のコストを低減できる。
【発明の効果】
【００１８】
本発明によれば、通信網を介して複数の空気調和機から通信データを受信し、特定の空気調和機にかかる通信状態を解析する際の効率を向上できる。
【発明を実施するための最良の形態】
【００１９】
（第１の実施形態）
以下、本発明の第１の実施形態を図面に基づいて説明する。図１は本発明を適用してなる通信状態解析システムの構成図である。
【００２０】
本実施形態の通信状態解析システムは、図１に示すように、制御装置１ａ〜１ｃを伝送線路で接続する通信網３と、この通信網３から受信した通信データをモニタし再現手段に出力する通信データ収集装置５と、通信データ収集装置５から出力された出力信号を再現する再現手段とを備えている。
【００２１】
例えば、制御装置１ａは、集中制御装置であり、制御装置１ｂ，１ｃは、空気調和機である。制御装置１ａと制御装置１ｂ，１ｃは、通信回路を備え、通信網３を介して通信データを送受信するようになっている。通信データ収集装置５は、受信回路７と、演算回路９と、通信データ記録メモリ１１と、タイマ回路１３と、切換スイッチ１５と、ユーザインタフェース１７と、送信回路１９とを備えている。
【００２２】
次に、本システムの処理について通信データ収集装置５を中心に説明する。通信網３を伝送する制御装置１ａ〜１ｃの通信データは、受信回路７を介して通信データ収集装置５に取り込まれる。受信回路７により受信された通信データは、デジタル変換後、タイマ回路１３により生成された時刻データ、つまり受信時刻と共に通信データ記録メモリ１１に記録される。
【００２３】
ここで、例えば、特定（例えば、異常と思われる）の制御装置１ｃにかかる通信データの評価を行う場合、図示しないキーボードなどの入力装置により制御装置１ｃの情報が選択され、ユーザインタフェース１７を通して、制御装置１ｃ以外の制御装置１ａ，１ｂにかかる通信データが抽出される。これにより、演算回路９は、通信データ記録メモリ１１にデジタルで記憶された通信データの中から、通信フォーマットに含まれる制御装置を特定するデータに基づいて制御装置１ａ，１ｂを選別する。そして、この選別された制御装置１ａ，１ｂの通信データは、演算回路９に渡され、受信時刻に合わせた時間間隔で送信回路１９から図示していない再現手段の対応する通信路に送信される。また、切換スイッチ１５は、タイマ回路１３と他の通信状態解析システムのタイマ入力を切換えて演算回路９に入力するようになっている。また、タイマ回路１３から、他の通信状態解析システムへ時刻データを出力するようになっている。
【００２４】
図２は、通信データ記録メモリ１１に記録された通信データから特定の制御装置の通信データを選別した状態を示す図である。図に示すように、ミリ秒（ｍｓ）単位で受信時刻と共に記録された通信データの中から、例えば、制御装置１ｃに相等する機器番号２０の通信データが選別され、他の通信データが受信時刻と同一時間間隔で再現手段に送信される。
【００２５】
なお、再現手段は、例えば、制御装置１ｃに相等する制御装置が通信網に接続されて構成され、制御装置１ｃ以外の通信データを送信することにより制御装置１ｃにかかる通信データを検証するように構成されている。
【００２６】
また、本実施形態において、受信回路７および送信回路１９は、他の異なる仕様の受信回路および送信回路と交換可能とすることが好ましい。例えば、複数のインタフェースに同一システムで対応可能とすれば、受信回路および送信回路を他の通信状態解析システムのものと共有できるから、通信データ収集装置のコストを低減できる。
【００２７】
本実施形態によれば、通信網３から受信した通信データの中から特定の制御装置の通信データを選択し、選択された制御装置以外の通信データを自動的に選別して出力できるから、例えば、膨大な通信データ量を有する空調システムにおいて、通信状態の解析効率を向上できる。特に、通信データを受信時刻に合わせて記録し、受信時刻の時間間隔で再現することにより、特定の制御装置にかかる通信状態を忠実に検証できる。また、通信網３から受信する通信データのうち、特定の制御装置の運転状態に応じて、所定の時間帯の通信データを選択し、モニタないし再現できるから、通信状態の解析効率を一層向上できる。
【００２８】
なお、本実施形態の通信状態解析システムは、一つの集中制御装置で複数（例えば、１００台以上）の空気調和機を制御する空調システムなどに好適であるが、これに限られるものではない。
【００２９】
（第２の実施形態）
次に、本発明の第２の実施形態を図面に基づいて説明する。図３は本発明を適用してなる通信状態解析システムの構成図である。図４は、本実施形態の通信状態解析システムの解析対象となる空調システムの説明図であり、（ａ）は、空調システムの構成を示す模式図、（ｂ）は、構成間を通信データが流れる様子を示しており、縦軸は時間を表している。なお、図３において、図１と同一構成要素については、同一の符号を付して説明を省略する。
【００３０】
空調システムは、図４（ａ）に示すように、集中制御装置１ａと空気調和機１ｂとを接続する通信網３と、空気調和機１ｂとリモコン１ｄとを接続する通信網３１の二つの通信網を有している。空気調和機１ｂは、集中制御装置１ａに接続される複数の空気調和機のうち、任意の空気調和機を示している。各空気調和機には、それぞれリモコン１ｄが接続されている。
【００３１】
集中制御装置１ａから空気調和機１ｂに送信された通信データは、空気調和機１ｂを介してリモコン１ｄに伝送され、所定の運転モードがリモコン１ｄに表示される。次いで、リモコン１ｄは、表示された運転モードに対応する通信データを返送し、空気調和機１ｂがこれを受信して所定の動作を行った後、空気調和機１ｂから返送された通信データが集中制御装置１ａにより受信される。このように、通信網３，３１を伝送する通信データは、空気調和機１ｂの動作に対し相互に影響を与えている。
【００３２】
ここで、例えば、集中制御装置１ａから送信される通信データに起因して空気調和機１ｂの動作に異常が発生した場合、空気調和機１ｂが通信データを返送するまでの時間が長くなり、集中制御装置１ａは、監視時間内に返送がないことにより異常発生とみなす。このように、空気調和機１ｂに異常が発生した場合、正常状態に復帰するには、通信データ解析システムにより通信網３，３１の通信データをそれぞれ受信して通信データの内容を解析し検証する必要がある。
【００３３】
本実施形態の通信データ解析システムは、図３に示すように、通信網３に通信データ収集装置５を接続し、通信網３１に通信データ収集装置３３を接続して構成される。通信データ収集装置３３は、通信データ収集装置５と同一の構成を有し、受信回路３５、演算回路３７、通信データ記録メモリ３９、タイマ回路４１、切換スイッチ４３、ユーザインタフェース４５を備えている。通信データ収集装置５のタイマ回路１３は、通信データ収集装置３３の切換スイッチ４３と伝送線路４９を通じて接続されている。
【００３４】
通信データ収集装置５は、通信網３から通信データを受信し、受信した通信データを通信データ記録メモリ１１に記録する際の時刻をタイマ回路１３から取得する。一方、通信データ収集装置３３は、通信網３１から通信データを受信し、受信した通信データを通信データ記録メモリ３９に記録する際の時刻を切換スイッチ４３の切り換えにより伝送線路４９を介して通信データ収集装置５のタイマ回路１３から取得する。なお、特定（例えば、異常と思われる）の空気調和機を選択し、これ以外の空気調和機の通信データについて再現する点については、第１の実施形態と同様である。
【００３５】
本実施形態によれば、異なる通信網からそれぞれ通信データを受信し、かつ受信した通信データを同じ時間軸で記録し、再現できる。このため、第１の実施形態の効果に加えて、各通信データの記録時間のずれに伴う誤評価を防止し、特定の空気調和機にかかる通信状態を高い精度で検証できる。また、本実施形態によれば、例えば、異なる通信網の通信データを組み合わせて１台のモニタ装置で通信データを時系列に表示できるから、モニタ装置の設置数を減少でき、経済的である。
【図面の簡単な説明】
【００３６】
【図１】本発明を適用してなる第１の実施形態の通信状態解析システムの全体構成図である。
【図２】記録された通信データから特定の制御装置の通信データを選別した状態を示す図である。
【図３】本発明を適用してなる第２の実施形態の通信状態解析システムの構成図である。
【図４】通信状態解析システムの解析対象となる空調システムの説明図であり、（ａ）は、空調システムの構成を示す模式図、（ｂ）は、構成間を通信データが流れる様子を示し、縦軸は時間を表している。
【符号の説明】
【００３７】
１ａ  制御装置（集中制御装置）
１ｂ，１ｃ  制御装置（空気調和機）
１ｄ  リモコン
３，３１  通信網
５，３３  通信データ収集装置
７，３５  受信回路
９，３７  演算回路
１１，３９  通信データ記録メモリ
１３，４１  タイマ回路
１５，４３  切換スイッチ
１７，４５  ユーザインタフェース
１９，４７  送信回路
【図１】
2006054755.tif 000003
【図２】
2006054755.tif 000004
【図３】
2006054755.tif 000005
【図４】
2006054755.tif 000006